(57)【要約】  【課題】  本発明はガス遮断装置に関するものであり、脈動による指針値ズレ等を防止すること。  【解決手段】  流量間隔判定部１２は流量検出部１１のガス通路内を通過するガス流量に対応して出力する流量信号Ａから抽出したオン幅とオフ幅の間隔と流量間隔保存部１３の予め保持しているオン／オフ判定値Ｂとを比較し該当すれば算出許可信号Ｃを出力する。指針値算出部１４は算出許可信号Ｃが出ている状態で流量信号Ａを受け取ると加算指針値Ｄを算出する。指針値保持部１５は保持している指針値に加算指針値Ｄを加算して再び指針値を保持する。【選択図】  図１
2005055339.tif 000002
【特許請求の範囲】
【請求項１】
ガス通路内を通過するガス流量に対応して流量信号を出力する流量検出部と、前記流量検出部の前記流量信号のオン幅とオフ幅の間隔を計測して流量間隔保存部のオン／オフ判定値と比較し該当すれば算出許可信号を出力する流量間隔判定部と、予め保持している前記オン／オフ判定値を出力する前記流量間隔保存部と、前記流量間隔判定部の前記算出許可信号があれば前記流量検出部の前記流量信号を受付け加算指針値を算出して出力する指針値算出部と、前記指針値算出部の前記加算指針値を受け取ると現在保持している指針値に加算して保存する指針値保持部とを備えているガス遮断装置。
【請求項２】
外部からオン／オフ判定設定値を取得し出力する流量間隔設定部と、前記流量間隔設定部の前記オン／オフ判定設定値を受け取るとオン／オフ判定値として保持する流量間隔保存部とからなる請求項１に記載のガス遮断装置。
【請求項３】
ガス通路内を通過するガス流量に対応して流量信号を出力する流量検出部と、前記流量検出部の前記流量信号のオン幅とオフ幅の間隔を計測して流量間隔保存部のオン／オフ判定値と比較し該当すれば前記流量信号を出力する流量間隔判定部と、予め保持している前記オン／オフ判定値を出力し流量判定部のオン／オフ判定再設定値を受け取ると前記オン／オフ判定値として保持し出力する前記流量間隔保存部と、前記流量間隔判定部の前記流量信号を受け取ると流量が安定しているかを判定し安定していれば算出許可信号を出力し、安定していてかつ登録要求部の登録要求があれば前記オン／オフ判定再設定値を出力し、流量が予め保存している閾値を超えていれば弁駆動要求信号を出力する前記流量判定部と、外部から指示を受けると前記登録要求を出力する登録要求部と、前記流量判定部の前記算出許可信号があれば前記流量検出部の前記流量信号を受付け加算指針値を算出して出力する指針値算出部と、前記指針値算出部の前記加算指針値を受け取ると現在保持している指針値に加算して保存する指針値保持部と、前記流量判定部の前記弁駆動要求信号を受け取ると弁駆動信号を出力する弁駆動部と、前記弁駆動部の前記弁駆動信号を受け取るとガス通路を遮断する弁とを備えているガス遮断装置。
【請求項４】
流量判定部の算出許可信号がないときに流量検出部の流量信号を受け取れば退避指針値を算出して出力し、前記流量判定部の前記算出許可信号があるときに前記流量検出部の前記流量信号を受け取れば加算指針値を算出して出力する指針値算出部と、予め決められたパターンで前記指針値算出部の前記退避指針値を受け取れば前記退避指針値を保持し補正指針値として出力する指針値退避部と、前記指針値算出部の前記加算指針値を受け取ると現在保持している指針値に加算して保存し、前記指針値退避部の前記補正指針値を受け取ると現在保持している前記指針値に加算して保存する指針値保持部とからなる請求項３に記載のガス遮断装置。
【請求項５】
流量検出部の流量信号のオン幅とオフ幅の間隔を計測して流量間隔保存部のオン／オフ判定値と比較し該当すれば前記流量信号を出力し、前記流量信号のオン幅とオフ幅の間隔を計測して前記流量間隔保存部の前記オン／オフ判定値と比較し非該当になれば異常信号を出力する流量間隔判定部と、前記流量間隔判定部の前記異常信号が所定の期間中に所定の回数に達すれば警報報知信号を出力する異常回数判定部と、前記異常回数判定部の前記警報報知信号を受け取ると外部に警報報知する外部報知部とからなる請求項３に記載のガス遮断装置。
【請求項６】
ガス通路内を通過するガス流量に対応して流量信号を出力する流量検出部と、前記流量検出部の前記流量信号を受け取る毎に予め時間が経過すると加算許可信号を出力する流量タイマ部と、前記流量タイマ部の前記加算許可信号の有無を判定し前記加算許可信号がある場合に前記流量検出部の前記流量信号を受付け加算指針値を算出して出力する指針値算出部と、前記指針値算出部の前記加算指針値を受け取ると現在保持している指針値に加算して保存する指針値保持部とを備えているガス遮断装置。
【請求項７】
ガス通路内を通過するガス流量に対応して流量信号を出力する流量検出部と、前記流量検出部の前記流量信号を受け取るとオン幅保存部のオン幅判定値とを比較し該当すればオン幅成立信号を出力するオン幅判定部と、流量判定部のオン幅再設定値を受け取ると前記オン幅判定値として保存し出力する前記オン幅保存部と、前記オン幅判定部の前記オン幅成立信号を受け取ると流量が安定しているかを判定し安定していれば算出許可信号を出力し、安定していてかつオン幅登録要求部のオン幅登録要求があれば前記オン幅再設定値を出力し、流量が予め保存している閾値を超えていれば弁駆動要求信号を出力する前記流量判定部と、外部から指示を受けると前記オン幅登録要求を出力する前記オン幅登録要求部と、前記流量判定部の前記算出許可信号があれば前記流量検出部の前記流量信号を受付け加算指針値を算出して出力する指針値算出部と、前記指針値算出部の前記加算指針値を受け取ると現在保持している指針値に加算して保存する指針値保持部と、前記流量判定部の前記弁駆動要求信号を受け取れば弁駆動信号を出力する弁駆動部と、前記弁駆動部の前記弁駆動信号を受け取るとガス通路を遮断する弁とを備えているガス遮断装置。
【発明の詳細な説明】
【技術分野】
【０００１】
本発明はガス遮断装置に関するものである。特に取得した流量信号の誤信号除去に関するものである。
【背景技術】
【０００２】
従来、この種のガス遮断装置としては、例えば流量検知部を複数保有し交互に判定しているものがあった（例えば、特開文献１、２参照）。
【０００３】
図８は前記文献に記載された従来のガス遮断装置を示すものである。第１流量検出部１はガス通路内を通過するガス流量に対応して第１流量信号αを出力し、第２流量検出部２はガス通路内を通過するガス流量に対応して第２流量信号βを出力し、指針値算出部３は第１流量信号αと第２流量信号βが交互に発生すると指針値を算出していた。
【特許文献１】特開平６−２６６９９１号公報
【特許文献２】特開平７−６８９４号公報
【発明の開示】
【発明が解決しようとする課題】
【０００４】
しかしながら、前記従来の構成では、２つ以上の流量検出部が必要となり一つの流量検出部で実現できなかったり、単純に交互判断のため検知タイミングが近く交互に跨ぐような振動運動が発生した場合、即ち同じ第１流量信号→第２流量信号→第１流量信号の検出結果であっても期待していた流量が正規方向にのみ流れた場合ではなく、圧力変動等による一時的な逆回転によって発生した信号であっても指針値を更新するという課題を有していた。
【０００５】
本発明は、前記従来の課題を解決するもので、流量が正規方向にのみ流れた場合に発生する流量信号のオン／オフ幅の比を記憶しこれと異なるオン／オフ比の流量信号を指針値更新の対象外の流量信号として排除することで指針値の誤カウントを防止したガス遮断装置を提供することを目的とする。
【課題を解決するための手段】
【０００６】
前記従来の課題を解決するために、本発明のガス遮断装置は、流量信号のオン／オフ幅を検出して、流量が正規方向にのみ流れた場合に出現するオン／オフ比を予めオン／オフ判定値として保存していたものと比較する流量間隔判定部を設けたものである。この流量間隔判定部によってオン／オフ比が異なる流量信号が発生した場合には圧力変動等による一時的な逆回転によって発生した流量信号と判定し、指針値更新の対象外の流量信号として排除することで指針値の誤カウントを防止するものである。
【発明の効果】
【０００７】
以上のように、本発明によれば、リードスイッチのオン／オフの境界付近（自宅のガス器具の未使用時やガスを使用していても口火等の小流量の場合）に永久磁石が位置し、他家のＧＨＰが駆動して発生する圧力変動（脈動）に伴い発生した流量信号やチャタリングによる流量信号をオン／オフ比、オン幅確認、出現間隔等で排除することが可能となり指針値の誤カウントを防止することができるようになり、ガス遮断装置のメカニカルカウンタとマイコン内部の指針値カウンタの相違を防止することができる。また他家のＧＨＰが駆動して発生する圧力変動（脈動）に伴い発生した流量信号やチャタリングによる流量信号による誤遮断を防止することができるようになるためガス事業者のガス遮断装置を設置している現場への出動回数を低減でき利便性を向上させることができる。
【発明を実施するための最良の形態】
【０００８】
請求項１に記載の発明は、ガス通路内を通過するガス流量に対応して流量信号を出力する流量検出部と、前記流量検出部の前記流量信号のオン幅とオフ幅の間隔を計測して流量間隔保存部のオン／オフ判定値と比較し該当すれば算出許可信号を出力する流量間隔判定部と、予め保持している前記オン／オフ判定値を出力する前記流量間隔保存部と、前記流量間隔判定部の前記算出許可信号があれば前記流量検出部の前記流量信号を受付け加算指針値を算出して出力する指針値算出部と、前記指針値算出部の前記加算指針値を受け取ると現在保持している指針値に加算して保存する指針値保持部とを備えたことにより、オン／オフ比の異なる流量信号を検知できることとなり、指針値の誤カウントを防止することができる。
【０００９】
請求項２に記載の発明は、外部からオン／オフ判定設定値を取得し出力する流量間隔設定部と、特に、請求項１に記載の流量間隔保存部は前記流量間隔設定部の前記オン／オフ判定設定値を受け取るとオン／オフ判定値として保持と出力する流量間隔保存部とを備えることにより、任意のオン／オフ判定値に変えることが可能となり、ガス遮断装置の個体差を緩和することができる。
【００１０】
請求項３に記載の発明は、ガス通路内を通過するガス流量に対応して流量信号を出力する流量検出部と、前記流量検出部の前記流量信号のオン幅とオフ幅の間隔を計測して流量間隔保存部のオン／オフ判定値と比較し該当すれば前記流量信号を出力する流量間隔判定部と、予め保持している前記オン／オフ判定値を出力し流量判定部のオン／オフ判定再設定値を受け取ると前記オン／オフ判定値として保持し出力する前記流量間隔保存部と、前記流量間隔判定部の前記流量信号を受け取ると流量が安定しているかを判定し安定していれば算出許可信号を出力し、安定していてかつ登録要求部の登録要求があれば前記オン／オフ判定再設定値を出力し、流量が予め保存している閾値を超えていれば弁駆動要求信号を出力する前記流量判定部と、外部から指示を受けると前記登録要求を出力する前記登録要求部と、前記流量判定部の前記算出許可信号があれば前記流量検出部の前記流量信号を受付け加算指針値を算出して出力する指針値算出部と、前記指針値算出部の前記加算指針値を受け取ると現在保持している指針値に加算して保存する指針値保持部と、前記流量判定部の前記弁駆動要求信号を受け取ると弁駆動信号を出力する弁駆動部と、前記弁駆動部の前記弁駆動信号を受け取るとガス通路を遮断する弁とを備えることにより、オン／オフ判定値をガス遮断装置の組み立て時に調整する必要がなくなり、ガス遮断装置を取り付けた現場でオン／オフ判定値を自動認識して保存することが可能となる。
【００１１】
請求項４に記載の発明は、特に、請求項３に記載の指針値算出部は流量判定部の算出許可信号がないときに流量検出部の流量信号を受け取れば退避指針値を算出して出力し、前記流量判定部の前記算出許可信号があるときに前記流量検出部の前記流量信号を受け取れば加算指針値を算出して出力する指針値算出部と、予め決められたパターンで前記指針値算出部の前記退避指針値を受け取れば前記退避指針値を保持し補正指針値として出力する指針値退避部と、前記指針値算出部の前記加算指針値を受け取ると現在保持している指針値に加算して保存し、前記指針値退避部の前記補正指針値を受け取ると現在保持している前記指針値に加算して保存する指針値保持部とを備えることにより、流量変化時のオン／オフ比の崩れた流量信号を一旦保留することが可能となり、圧力変動等による一時的な逆回転によって発生した流量信号と区別することができる。
【００１２】
請求項５に記載の発明は、特に、請求項３に記載の流量間隔判定部は流量検出部の流量信号のオン幅とオフ幅の間隔を計測して流量間隔保存部のオン／オフ判定値と比較し該当すれば前記流量信号を出力し、前記流量信号のオン幅とオフ幅の間隔を計測して前記流量間隔保存部の前記オン／オフ判定値と比較し非該当になれば異常信号を出力する流量間隔判定部と、前記流量間隔判定部の前記異常信号が所定の期間中に所定の回数に達すれば警報報知信号を出力する異常回数判定部と、前記異常回数判定部の前記警報報知信号を受け取ると外部に警報報知する外部報知部とを備えることにより、オン／オフ比を外れるものが複数回発生すると圧力変動等による一時的な逆回転が頻繁に発生していることを外部に報知することができる。
【００１３】
請求項６に記載の発明は、ガス通路内を通過するガス流量に対応して流量信号を出力する流量検出部と、前記流量検出部の前記流量信号を受け取る毎に予め時間が経過すると加算許可信号を出力する流量タイマ部と、前記流量タイマ部の前記加算許可信号の有無を判定し前記加算許可信号がある場合に前記流量検出部の前記流量信号を受付け加算指針値を算出して出力する指針値算出部と、前記指針値算出部の前記加算指針値を受け取ると現在保持している指針値に加算して保存する指針値保持部とを備えることにより、流量信号の間隔を規定することでチャタリング時の流量信号を排除することができ、指針値の誤カウントを防止することができる。
【００１４】
請求項７に記載の発明は、ガス通路内を通過するガス流量に対応して流量信号を出力する流量検出部と、前記流量検出部の前記流量信号を受け取るとオン幅保存部のオン幅判定値と比較し該当すればオン幅成立信号を出力するオン幅判定部と、流量判定部のオン幅再設定値を受け取ると前記オン幅判定値として保持し出力する前記オン幅保存部と、前記オン幅判定部の前記オン幅成立信号を受け取ると流量が安定しているかを判定し安定していれば算出許可信号を出力し、安定していてかつオン幅登録要求部のオン幅登録要求があれば前記オン幅再設定値を出力し、流量が予め保存している閾値を超えていれば弁駆動要求信号を出力する前記流量判定部と、外部から指示を受けると前記オン幅登録要求を出力する前記オン幅登録要求部と、前記流量判定部の前記算出許可信号があれば前記流量検出部の前記流量信号を受付け加算指針値を算出して出力する指針値算出部と、前記指針値算出部の前記加算指針値を受け取ると現在保持している指針値に加算して保存する指針値保持部と、前記流量判定部の前記弁駆動要求信号を受け取れば弁駆動信号を出力する弁駆動部と、前記弁駆動部の前記弁駆動信号を受け取るとガス通路を遮断する弁とを備えることにより、流量信号のオン幅が規定値以下であればチャタリングとみなし流量信号を排除することができ、指針値の誤カウントを防止することができる。
【実施例】
【００１５】
以下、本発明の実施例について図面を用いて説明する。
【００１６】
（実施例１）
図１は本発明の実施例１のガス遮断装置の機能ブロック図である。また図９は本発明を補足する模式図である。
【００１７】
図１の機能ブロック図において、流量検出部１１はガス通路内を通過するガス流量に対応して流量信号Ａ（例えば、図９（ａ）のようにガス遮断装置内に設置されている永久磁石がガス通路内を通過する流量の一定量毎に１回転分の円運動を行い、その円運動の軌跡上にリードスイッチを配置してリードスイッチのオン／オフ信号を出力する。従って流量信号は、図９（ｂ）に示すように永久磁石の１回転毎にオン／オフの対が１パルス出力される。あるいは円盤に穴を空け光センサで透過可能／透過不可能な区間をオン／オフ判定値としても同等の効果が得られる）を出力する。
【００１８】
流量間隔判定部１２は流量検出部１１の流量信号Ａのオン幅とオフ幅の間隔を計測して流量間隔保存部１３のオン／オフ判定値Ｂ（例えばオン：オフ＝３：７）と比較し該当（例えば公差を考慮して２：８から４：６の間は許容する）すれば算出許可信号Ｃを出力する。
【００１９】
流量間隔保存部１３は予め保持しているオン／オフ判定値Ｂを出力する。
【００２０】
指針値算出部１４は流量間隔判定部１２の算出許可信号Ｃがあれば流量検出部１１の流量信号Ａを受付け加算指針値Ｄ（例えば１回転分のガス流量値。今仮に１Ｌとする）を算出して出力する。
【００２１】
指針値保持部１５（例えばマイコン内部にある指針値カウンタのバッファ）は指針値算出部１４の加算指針値Ｄを受け取ると現在保持している指針値（例えば今１２３Ｌであれば先の１Ｌと合算し１２４Ｌとなる）に加算して保存する。
【００２２】
ここで、例えば図１０に示すように他家に設置されたＧＨＰが稼動するとエンジンの回転に伴い圧力の脈動が発生し、ガス配管を通して自宅のガス遮断装置に圧力の脈動が到達する場合がある。
【００２３】
このとき、図１１（ａ）に示すようにガス遮断装置の流量検出部を構成している永久磁石とリードスイッチがオン／オフの境界付近で停止していたり、あるいは口火流量等の微量のガスを使用している時にたまたま永久磁石とリードスイッチがオン／オフの境界付近である場合には圧力の脈動の影響を受けるため、図１１（ｂ）に示すように流量信号が短い周期のオン／オフで繰り返すこととなる。
【００２４】
この脈動を正規の流量信号として処理をするとガス遮断装置のガス消費量を表示するメカニカルカウンタ（当然脈動によるリードスイッチのオン／オフの境界を行き来して発生した流量信号なので正規の一定量のガスが流れていない）は更新されないが、マイコン内部にある指針値カウンタは正規の流量信号が入ったものとして更新することになっていたが、以上のように構成されたガス遮断装置においては、流量間隔判定部１２でオン／オフ比が許容内でないような流量信号は、脈動やチャタリングによる流量信号として排除することができるので、正確な流量を計測できる。
【００２５】
（実施例２）
図２は本発明の実施例２のガス遮断装置の機能ブロック図である。なお実施例１と同一符号のものは同一構造を有し、説明は省略する。
【００２６】
実施例１と異なる点は、図２の機能ブロック図において、流量間隔設定部１６は外部（例えば、電話回線のノーリンギング通信を利用してＮＣＵ装置を用いて変調されている信号を復調して行われる通信。インターネットを用いた通信によっても同等の効果が得られるし、無線による接続や現場用の設定器を用いた通信でも同等の効果得られる）からオン／オフ判定設定値Ｅを取得し出力する。
【００２７】
流量間隔保存部１３は流量間隔設定部１６のオン／オフ判定設定値Ｅを受け取るとオン／オフ判定値Ｂとして保持すると共に、流量間隔判定部１２へオン／オフ判定値Ｂを出力する。
【００２８】
以上のように構成されたガス遮断装置において、流量間隔保存部１３のオン／オフ判定値を任意に変えることが可能となり、ガス遮断装置の個体差を緩和することができる。またガス遮断装置の構成（例えば永久磁石の取り付け位置が変わり軌跡が変更になったり、リードスイッチを他メーカ品に変えオン／オフの特性が変わった場合）が変わっても容易に対応することが可能となる。
【００２９】
（実施例３）
図３は本発明の実施例３のガス遮断装置の機能ブロック図である。
【００３０】
図３の機能ブロック図において、流量検出部１１はガス通路内を通過するガス流量に対応して流量信号Ａを出力する。
【００３１】
流量間隔判定部１２は流量検出部１１の流量信号Ａのオン幅とオフ幅の間隔を計測して流量間隔保存部１３のオン／オフ判定値Ｂと比較し該当すれば流量信号Ａを出力する。
【００３２】
流量間隔保存部１３は予め保持しているオン／オフ判定値Ｂを出力し流量判定部１７のオン／オフ判定再設定値Ｇを受け取るとオン／オフ判定値Ｂとして保持しする。
【００３３】
流量判定部１７は流量間隔判定部１２の流量信号Ａを受け取ると流量が安定しているかを判定（例えば、微量のガス使用時であれば２つの流量信号間のオンのタイミング間隔が５分以上ありかつ連続した流量信号のオンのタイミング間隔が数パーセント以内であれば一定した流量と判断する。また大量のガス使用時であれば連続したある一定期間に発生した流量信号の総数の差が数パーセント以内であれば一定した流量と判断する）する。
【００３４】
安定していれば算出許可信号Ｃを出力し、安定していてかつ登録要求部１８の登録要求Ｆがあればオン／オフ判定再設定値Ｇ（例えば、１つの流量信号のオン／オフを判定値とししても良いし、一定の流量と判断した流量信号の複数または全数の平均としても良い。また一定の流量と判断した流量信号の最大値と最小値を省いた平均等でも同様の効果が得られる）を出力する。
【００３５】
流量が予め保存している閾値（例えば、ある一定期間に発生する流量信号の許容数を超えている場合）を超えていれば弁駆動要求信号Ｈを出力する。
【００３６】
登録要求部１８は外部から指示（例えば、電話回線のノーリンギング通信を利用してＮＣＵ装置を用いて変調されている信号を復調して行われる通信。指示はプッシュスイッチ等のボタンを押したり、赤外線やリードスイッチと磁石のような非接触による操作を行っても同様の効果が得られる。）を受けると登録要求Ｆを出力する。
【００３７】
指針値算出部１４は流量判定部１７の算出許可信号Ｃがあれば流量検出部１１の流量信号Ａを受付け加算指針値Ｄを算出して出力する。
【００３８】
指針値保持部１５は指針値算出部１４の加算指針値Ｄを受け取ると現在保持している指針値に加算して保存する。
【００３９】
弁駆動部１９は流量判定部１７の弁駆動要求信号Ｈを受け取ると弁駆動信号Ｉを出力する。
【００４０】
弁２０は弁駆動部１９の弁駆動信号Ｉを受け取るとガス通路を遮断する。
【００４１】
以上のように構成されたガス遮断装置において、オン／オフ判定値をガス遮断装置の組み立て時に調整する必要がなくなり、ガス遮断装置を取り付けた現場で指示を与えれば実際にガスが流れるのを受けてオン／オフ判定値を自動認識して保持することが可能となる。なおオン／オフ判定値はガス遮断装置の組み立て直後は設定せずオン／オフ判定を無判定としても良いし、センタ値を仮設定値としてオン／オフ判定を実施してもよい。
【００４２】
（実施例４）
図４は本発明の実施例４のガス遮断装置の機能ブロック図である。なお実施例３と同一符号のものは同一構造を有し、説明は省略する。
【００４３】
実施例３と異なる点は、図４の機能ブロック図において、指針値算出部１４は流量判定部１７の算出許可信号Ｃがないときに流量検出部１１の流量信号Ａを受け取れば退避指針値Ｊ（例えば、１回転分のガス流量値）を算出して出力し、流量判定部１７の算出許可信号Ｃがあるときに流量検出部１１の流量信号Ａを受け取れば加算指針値Ｄを算出して出力する。
【００４４】
指針値退避部２１は予め決められたパターン（例えば、ある一定期間中に発生した退避指針値やある流量信号以上の退避指針値。または退避指針値が入力される間隔がある間隔以上はなれている場合）で指針値算出部１４の退避指針値Ｊを受け取れば退避指針値Ｊ（例えば、パターン内に発生した退避指針値の総和）を保持し補正指針値Ｋとして出力する。
【００４５】
指針値保持部１５は指針値算出部１４の加算指針値Ｄを受け取ると現在保持している指針値に加算して保存し、指針値退避部２１の補正指針値Ｋを受け取ると現在保持している指針値に加算して保存する。
【００４６】
以上のように構成されたガス遮断装置において、指針値算出部１４で正常な使用中であってもガス器具の増減や火力の調整等によって流量が変動して流量信号のオン／オフ比が崩れた場合でも、実際にはガスを使用している流量信号を一旦保留することが可能となる。
【００４７】
また、一定期間内での流量信号のバラツキがありオン／オフ比が崩れていても連続した期間内で流量が安定していると判断できる時は退避指針値を出力せず通常の流量信号とすることでさらに精度を向上させることができる。
【００４８】
（実施例５）
図５は本発明の実施例５のガス遮断装置の機能ブロック図である。なお実施例３と同一符号のものは同一構造を有し、説明は省略する。
【００４９】
実施例３と異なる点は、図５の機能ブロック図において、流量間隔判定部１２は流量検出部１１の流量信号Ａのオン幅とオフ幅の間隔を計測して流量間隔保存部１３のオン／オフ判定値Ｂと比較し該当すれば流量信号Ａを出力し、流量信号Ａのオン幅とオフ幅の間隔を計測して流量間隔保存部１３のオン／オフ判定値Ｂと比較し非該当になれば異常信号Ｌを出力する。
【００５０】
異常回数判定部２２は流量間隔判定部１２の異常信号Ｌが所定の期間中に所定の回数（例えば、３０秒間以内に５回以上）に達すれば警報報知信号Ｍを出力する。
【００５１】
外部報知部２３は異常回数判定部２２の警報報知信号Ｍを受け取ると外部（例えば、ＬＥＤやＬＣＤによる表示。あるいはブザーによる音や公共回線を利用した通信でも同様の効果が得られる。）に警報報知する。
【００５２】
以上のように構成されたガス遮断装置において、正常な使用中であってもガス器具の増減や火力の調整等によって流量が変動して流量信号のオン／オフ比が崩れ異常と判断されることとなるが、所定の期間中に所定の回数判定を設けることで脈動やチャタリングと区別することが出きる。
【００５３】
（実施例６）
図６は本発明の実施例６のガス遮断装置の機能ブロック図である。
【００５４】
図６の機能ブロック図において、流量検出部１１はガス通路内を通過するガス流量に対応して流量信号Ａを出力する。
【００５５】
流量タイマ部２４は流量検出部１１の流量信号Ａを受け取る毎に予め時間（例えば、ガス遮断装置が１回転できる物理的な限界値でもよいし、使用上または設計上の限界値でもよい）が経過すると加算許可信号Ｎを出力する。
【００５６】
指針値算出部１４は流量タイマ部２４の加算許可信号Ｎの有無を判定し加算許可信号Ｎがある場合に流量検出部１１の流量信号Ａを受付け加算指針値Ｄを算出して出力する。
【００５７】
指針値保持部１５は指針値算出部１４の加算指針値Ｄを受け取ると現在保持している指針値に加算して保存する。
【００５８】
以上のように構成されたガス遮断装置において、ガス遮断装置が１回転できる物理的な限界値や使用上または設計上の限界値を設けることで、通常ガスを使用している時の流量信号とチャタリング等の短い幅の流量信号を切り分けすることが可能となる。
【００５９】
（実施例７）
図７は本発明の実施例７のガス遮断装置の機能ブロック図である。
【００６０】
図７の機能ブロック図において、流量検出部１１はガス通路内を通過するガス流量に対応して流量信号Ａを出力する。
【００６１】
オン幅判定部２５は流量検出部１１の流量信号Ａを受け取るとオン幅保存部２６のオン幅判定値Ｏ（例えば、ガス遮断装置が１回転できる物理的な限界値から算出したオン幅）とを比較し該当すればオン幅成立信号Ｑを出力する。
【００６２】
オン幅保存部２６は流量判定部１７のオン幅再設定値Ｐを受け取るとオン幅判定値Ｏとして保存し出力する。
【００６３】
流量判定部１７はオン幅判定部２５のオン幅成立信号Ｑを受け取ると流量が安定しているかを判定し安定していれば算出許可信号Ｃを出力し、安定していてかつオン幅登録要求部２７のオン幅登録要求Ｒがあればオン幅再設定値Ｐを出力し、流量が予め保存している閾値を超えていれば弁駆動要求信号Ｈを出力する。
【００６４】
オン幅登録要求部２７は外部から指示を受けるとオン幅登録要求Ｒを出力する。
【００６５】
指針値算出部１４は流量判定部１７の算出許可信号Ｃがあれば流量検出部１１の流量信号Ａを受付け加算指針値Ｄを算出して出力する。
【００６６】
指針値保持部１５は指針値算出部１４の加算指針値Ｄを受け取ると現在保持している指針値に加算して保存する。
【００６７】
弁駆動部１９は流量判定部１７の弁駆動要求信号Ｈを受け取れば弁駆動信号Ｉを出力する。
【００６８】
弁２０は弁駆動部１９の弁駆動信号Ｉを受け取るとガス通路を遮断する。
【００６９】
以上のように構成されたガス遮断装置において、オン信号幅の最小時間条件を設けて判定することで髭のようなノイズやチャタリング等の流量信号を排除することが出きる。
【図面の簡単な説明】
【００７０】
【図１】本発明の実施例１におけるガス遮断装置の機能ブロック図
【図２】本発明の実施例２におけるガス遮断装置の機能ブロック図
【図３】本発明の実施例３におけるガス遮断装置の機能ブロック図
【図４】本発明の実施例４におけるガス遮断装置の機能ブロック図
【図５】本発明の実施例５におけるガス遮断装置の機能ブロック図
【図６】本発明の実施例６におけるガス遮断装置の機能ブロック図
【図７】本発明の実施例７におけるガス遮断装置の機能ブロック図
【図８】従来のガス遮断装置の機能ブロック図
【図９】（ａ）脈動のない時の流量信号の出力原理を説明する模式図（ｂ）脈動のない時の流量信号波形を示す図
【図１０】ＧＨＰにより脈動が発生するメカニズムの説明図
【図１１】（ａ）脈動発生時の流量信号の出力原理を説明する模式図（ｂ）脈動発生時の流量信号波形を示す図
【符号の説明】
【００７１】
１１  流量検出部
１２  流量間隔判定部
１３  流量間隔保存部
１４  指針値算出部
１５  指針値保持部
１６  流量間隔設定部
１７  流量判定部
１８  登録要求部
１９  弁駆動部
２０  弁
２１  指針値退避部
２２  異常回数判定部
２３  外部報知部
２４  流量タイマ部
２５  オン幅判定部
２６  オン幅保存部
２７  オン幅登録要求部
【図１】
2005055339.tif 000003
【図２】
2005055339.tif 000004
【図３】
2005055339.tif 000005
【図４】
2005055339.tif 000006
【図５】
2005055339.tif 000007
【図６】
2005055339.tif 000008
【図７】
2005055339.tif 000009
【図８】
2005055339.tif 000010
【図９】
2005055339.tif 000011
【図１０】
2005055339.tif 000012
【図１１】
2005055339.tif 000013